(57)【要約】      （修正有）【課題】定着二重監視部にノイズ除去手段を備えた画像形成装置で、ＡＣ電力供給をオンオフさせるヒータリレーがオフでもサーミスタ出力に乗るノイズを安価に除去する。【解決手段】定着部６はＡＣヒータ１１、コンデンサ３で発熱するキャパシタヒータ１２、温度を検出するサーミスタ１３を備え、ＡＣヒータ駆動回路４は電力供給を制御するトライアック２１、電力を遮断するＡＣヒータリレー２２を備え、キャパシタヒータ駆動回路５はキャパシタヒータ１２への電力を制御するＦＥＴ３１、電力を遮断するキャパシタヒータリレー３２を備え、制御部７は定着温度過昇を検出するコンパレータ４３、検出過昇情報を記憶するＦ／Ｆ４５、ノイズ除去Ｆ／Ｆ４４、Ｆ／Ｆ４５の出力でＡＣヒータリレー２２とキャパシタヒータリレー３２をオフにするゲート４６、所定周波数のクロックを発生するカウンタ４７を備え、カウンタ４７のクロックをＦ／Ｆ４４に入力する。【選択図】図１
2006139154.tif 000002
【特許請求の範囲】
【請求項１】
商用電源から供給される電力により発熱する主発熱体、補助電源装置から供給される電力により発熱する補助発熱体、及び当該加熱部内の温度を検出する温度検出手段を備えた加熱部と、
充放電可能な蓄電装置を備えた補助電源装置と、
前記商用電源から前記主発熱体への電力供給を制御する主発熱体駆動手段と、前記商用電源から前記主発熱体への電力供給を遮断する主発熱体遮断手段とを備えた主発熱体駆動部と、
前記補助電源装置から前記補助発熱体への電力供給を制御する補助発熱体駆動手段と、前記補助電源装置から前記補助発熱体への電力供給を遮断する補助発熱体遮断手段とを備えた補助発熱体駆動部と、
前記加熱部の温度過昇を検出する温度過昇検出手段、その温度過昇検出手段により検出された温度過昇情報を記憶する温度過昇記憶手段、前記温度過昇検出手段と前記温度過昇記憶手段との間に設けられたノイズ除去手段、前記主発熱体遮断手段を制御する主発熱体遮断手段制御信号を前記温度過昇記憶手段の出力により強制的にオフ状態にする主発熱体強制オフ手段、及び前記補助発熱体遮断手段を制御する補助発熱体遮断手段制御信号を前記温度過昇記憶手段の出力により強制的にオフ状態にする補助発熱体強制オフ手段を備えた制御部と、を備えた画像形成装置において、
所定周波数のクロックを発生するクロック発生手段を更に備え、該クロック発生手段のクロック出力を前記ノイズ除去手段に入力する構成にしたことを特徴とする画像形成装置。
【請求項２】
商用電源から供給される電力により発熱する主発熱体、前記補助電源装置から供給される電力により発熱する補助発熱体、及び当該加熱部内の温度を検出する温度検出手段を備えた加熱部と、
充放電可能な蓄電装置を備えた補助電源装置と、
前記商用電源から前記主発熱体への電力供給を制御する主発熱体駆動手段と、前記商用電源から前記主発熱体への電力供給を遮断する主発熱体遮断手段とを備えた主発熱体駆動部と、
前記補助電源装置から前記補助発熱体への電力供給を制御する補助発熱体駆動手段と、前記補助電源装置から前記補助発熱体への電力供給を遮断する補助発熱体遮断手段とを備えた補助発熱体駆動部と、
前記加熱部の温度過昇を検出する温度過昇検出手段、その温度過昇検出手段により検出された温度過昇情報を記憶する温度過昇記憶手段、前記温度過昇検出手段と前記温度過昇記憶手段との間に設けられたノイズ除去手段、前記主発熱体遮断手段を制御する主発熱体遮断手段制御信号を前記温度過昇記憶手段の出力により強制的にオフ状態にする主発熱体強制オフ手段、及び前記補助発熱体遮断手段を制御する補助発熱体遮断手段制御信号を前記温度過昇記憶手段の出力により強制的にオフ状態にする補助発熱体強制オフ手段を備えた制御部と、を備えた画像形成装置において、
繰り返し所定時間を計時し、その所定時間ごとにクロック信号を発生するタイマを更に備え、該クロック信号を前記ノイズ除去手段に入力する構成にしたことを特徴とする画像形成装置。
【請求項３】
請求項２記載の画像形成装置において、タイマを内蔵したＣＰＵを用い、繰り返し所定時間を計時するように前記タイマを設定する構成にしたことを特徴とする画像形成装置。
【発明の詳細な説明】
【技術分野】
【０００１】
本発明は、複写機、プリンタ、ファクシミリ装置など、電子写真方式の画像形成装置に係り、特に、シート上のトナーを加熱加圧により当該シートに定着させる定着装置を備えた画像形成装置に関する。
【背景技術】
【０００２】
電子写真方式を用いた、複写機、プリンタ、ファクシミリ装置などの画像形成装置において、紙などシート上に形成されたトナー画像を加熱加圧により当該シートに定着させる熱定着装置は周知である。従来の熱定着装置を備えた画像形成装置においては、定着温度が設定温度以上に上昇した場合の事故を防止するために、定着温度監視機構を備えている。一般的には、サーミスタなど温度検出手段を設けて定着温度を検知し、これをマイクロプロセッサ（以下、ＣＰＵと称す）など制御手段により監視し、定着制御を行なっている（図４参照）。なお、図４および後述する図５、図６において、定着ヒータのオフ直後に定着温度が若干上昇、逆に定着ヒータのオン直後に定着温度が若干低下しているのは各々オーバーシュート、アンダーシュートによるものである。
しかし、何らかの原因でＣＰＵが故障したり、暴走したりした場合には、定着装置が破損するだけに止まらず、画像形成装置の発火事故につながる恐れもある。このような事故を防止するために、定着温度の二重監視機構を備えるものが提案されている。
従来の定着温度の二重監視機構では、例えば、前記したＣＰＵ制御に加え、定着温度をコンパレータなどで監視し、そのコンパレータの出力信号を用いて定着ヒータのＯＮ信号を制御する。つまり、ＣＰＵとコンパレータが共に定着ヒータをオンさせる指令（信号）を出したときだけゲートをオンにして定着ヒータに通電するのである。
この構成では定着温度が異常検出温度を上回っているときのみゲートをオフする。つまり、定着温度が異常検出温度を下回ってしまうと再びゲートがオンされてしまうので、定着ヒータのオン・オフを繰り返してしまう。結果的に定着リレー接点で定着ヒータをオン・オフすることになってしまい、リレー溶着を招く可能性がある（図５参照）。
そのため、特許文献１および特許文献２に示された従来技術では、定着リレー接点の溶着を防ぐために定着二重監視機構に記憶手段を設け、定着二重監視機構がいったん温度過昇を検知するとその状態を記憶し、定着温度が異常検出温度より下がってもゲートがオフ状態を続けるようにしている（図６参照）。
【０００３】
これらの従来技術により安全性は確保されたが、通常動作において誤動作を起こす可能性がある。定着サーミスタ出力にノイズがのり、基準電圧を下回る電圧が定着サーミスタ出力としてコンパレータに入力され、コンパレータが定着温度過昇を示す状態を出力してしまうと、記憶手段はごく短時間の温度過昇状態でもその状態を記憶してしまうので、定着温度制御に何の問題もないにもかかわらず定着ヒータがオンできない状態になってしまう可能性がある。この誤動作を防ぐ手段として特許文献２に示されたウォッチドッグタイマを用いる構成や、特許文献３に示されたフリップフロップを用いる構成が提案されている。特に、特許文献３に示されたフリップフロップを用いるとともにそのフリップフロップのクロックとしてゼロクロス信号を用いた構成は、追加部品がフリップフロップ１個のみで且つそのクロックとして入力するゼロクロス信号も定着ヒータ制御でもともと用いている信号であるので、ごくわずかなコストアップで誤動作を防止できる。
しかし、特許文献３に示された従来技術を特許文献４に示されたコンデンサ（電気二重層コンデンサ）を補助電源装置として搭載した画像形成装置に展開した場合、安全性に問題がある。特許文献４に示された従来技術は、定着ヒータに電力を供給するための補助電源装置を内蔵して、省エネルギーと立ち上がり時間短縮を達成できるようにしたもので、加熱装置に対して従来と同様に設けられた主電源装置から電力を供給する他に補助電源装置からも電力を供給するが、前記した定着二重監視機構は誤動作防止（ノイズ除去）用フリップフロップのクロック入力としてゼロクロス信号を用いている。そのため、ゼロクロス信号が発生しない状態（ＡＣヒータリレーオフ時またはＡＣヒータリレーオープン故障時といったゼロクロス検知回路に商用電源が印加されない状態、図３参照）ではクロック入力がＨｉｇｈレベルに固定となってしまうためコンパレータ出力をラッチできず、温度過昇状態でも定着二重監視機構による定着ヒータ強制オフができなくなってしまう。定着ヒータの電力が商用電源からのみ供給されるような場合は、ゼロクロス信号なしはＡＣヒータリレーオフ、つまり定着ヒータへの電力供給源が遮断されていることと同義であるので問題はなかったが、補助電源装置を搭載した画像形成装置では、ＡＣヒータリレーオフ状態でも補助電源装置から定着ヒータへ電力を供給するので安全性に問題があるのである。
特許文献５に示された従来技術はこのような問題を解決しようとするものであり、コンデンサを補助電源とする場合でも前記したような被害が拡大しないようにしている。つまり、商用電源以外の定着ヒータへの電力源である補助電源装置としてコンデンサを内蔵し、且つ定着二重監視機構のノイズ除去手段としてゼロクロス信号をクロック入力とするフリップフロップを備えた場合において、補助発熱体強制オフ手段に主発熱体をオフにするための主発熱体遮断制御信号を入力する。これにより、定着二重監視機構が無効になってしまうＡＣヒータリレーオフ状態では補助電源からの電力供給も遮断されるので、被害の拡大を防止できるというわけである。また、この従来技術では、定着二重監視機能が無効化されないようにゼロクロス信号が常時発生するようにする。
【特許文献１】特開平９−１８５２８５号公報
【特許文献２】特開平１０−３０７５１４号公報
【特許文献３】特開平１１−３０９２７号公報
【特許文献４】特開２０００−３１５５６７公報
【特許文献５】特願２００３−１９９５３２
【発明の開示】
【発明が解決しようとする課題】
【０００４】
しかしながら、前記した特許文献５記載の従来技術のなかで、ゼロクロス信号の有無を正確に知るためにウォッチドッグタイマでその有無を検知する技術については、ウォッチドッグタイマが高価であるのでコストアップになる。また、ＡＣヒータリレーの前段と後段にゼロクロス検知回路を配置して、定着二重監視回路には前段、溶着検知を行う際には後段のゼロクロス信号を用いる技術についても、ゼロクロス検知回路を２個設けるためにコストアップになる。
本発明の目的は、このような従来技術の問題を解決しようとするものであり、具体的には、補助電源装置として電気二重層コンデンサを内蔵し、且つ定着二重監視機構にノイズ除去手段を備えた画像形成装置において、商用電源からの電力供給をオン・オフさせるＡＣヒータリレーがオフ状態でも定着サーミスタ出力に重畳するノイズを確実に且つ安価な方法で除去できる画像形成装置を提供することにある。
【課題を解決するための手段】
【０００５】
前記した課題を解決するために、請求項１記載の発明では、商用電源から供給される電力により発熱する主発熱体、補助電源装置から供給される電力により発熱する補助発熱体、及び当該加熱部内の温度を検出する温度検出手段を備えた加熱部と、充放電可能な蓄電装置を備えた補助電源装置と、前記商用電源から前記主発熱体への電力供給を制御する主発熱体駆動手段と、前記商用電源から前記主発熱体への電力供給を遮断する主発熱体遮断手段とを備えた主発熱体駆動部と、前記補助電源装置から前記補助発熱体への電力供給を制御する補助発熱体駆動手段と、前記補助電源装置から前記補助発熱体への電力供給を遮断する補助発熱体遮断手段とを備えた補助発熱体駆動部と、前記加熱部の温度過昇を検出する温度過昇検出手段、その温度過昇検出手段により検出された温度過昇情報を記憶する温度過昇記憶手段、前記温度過昇検出手段と前記温度過昇記憶手段との間に設けられたノイズ除去手段、前記主発熱体遮断手段を制御する主発熱体遮断手段制御信号を前記温度過昇記憶手段の出力により強制的にオフ状態にする主発熱体強制オフ手段、及び前記補助発熱体遮断手段を制御する補助発熱体遮断手段制御信号を前記温度過昇記憶手段の出力により強制的にオフ状態にする補助発熱体強制オフ手段を備えた制御部と、を備えた画像形成装置において、所定周波数のクロックを発生するクロック発生手段を更に備え、該クロック発生手段のクロック出力を前記ノイズ除去手段に入力する構成にした。
また、請求項２記載の発明において、商用電源から供給される電力により発熱する主発熱体、前記補助電源装置から供給される電力により発熱する補助発熱体、及び当該加熱部内の温度を検出する温度検出手段を備えた加熱部と、充放電可能な蓄電装置を備えた補助電源装置と、前記商用電源から前記主発熱体への電力供給を制御する主発熱体駆動手段と、前記商用電源から前記主発熱体への電力供給を遮断する主発熱体遮断手段とを備えた主発熱体駆動部と、前記補助電源装置から前記補助発熱体への電力供給を制御する補助発熱体駆動手段と、前記補助電源装置から前記補助発熱体への電力供給を遮断する補助発熱体遮断手段とを備えた補助発熱体駆動部と、前記加熱部の温度過昇を検出する温度過昇検出手段、その温度過昇検出手段により検出された温度過昇情報を記憶する温度過昇記憶手段、前記温度過昇検出手段と前記温度過昇記憶手段との間に設けられたノイズ除去手段、前記主発熱体遮断手段を制御する主発熱体遮断手段制御信号を前記温度過昇記憶手段の出力により強制的にオフ状態にする主発熱体強制オフ手段、及び前記補助発熱体遮断手段を制御する補助発熱体遮断手段制御信号を前記温度過昇記憶手段の出力により強制的にオフ状態にする補助発熱体強制オフ手段を備えた制御部と、を備えた画像形成装置において、繰り返し所定時間を計時し、その所定時間ごとにクロック信号を発生するタイマを更に備え、該クロック信号を前記ノイズ除去手段に入力する構成にした。
また、請求項３記載の発明では、請求項２記載の発明において、タイマを内蔵したＣＰＵを用い、繰り返し所定時間を計時するように前記タイマを設定する構成にした。
【発明の効果】
【０００６】
本発明によれば、請求項１記載の発明では、補助電源装置として電気二重層コンデンサを内蔵し、且つ定着二重監視機構にノイズ除去手段を備えた画像形成装置において、商用電源からの電力供給をオン・オフさせる主発熱体遮断手段がオフ状態でも、クロック発生手段により所定周波数のクロックをノイズ除去手段に入力できるので、定着サーミスタ出力に重畳するノイズを安価な方法で確実に除去できる。
また、請求項２記載の発明では、補助電源装置として電気二重層コンデンサを内蔵し、且つ定着二重監視機構にノイズ除去手段を備えた画像形成装置において、繰り返し所定時間を計時し、その所定時間ごとにクロック信号を発生するタイマにより、商用電源からの電力供給をオン・オフさせる主発熱体遮断手段がオフ状態でも、クロック信号をノイズ除去手段に入力できるので、定着サーミスタ出力に重畳するノイズを安価な方法で確実に除去できる。
また、請求項３記載の発明では、請求項２記載の発明において、タイマを内蔵したＣＰＵを用い、繰り返し所定時間を計時するようにそのタイマを設定できるので、タイマを別に備える必要がなく、したがって、定着サーミスタ出力に重畳するノイズをさらに安価な方法で確実に除去できる。
【発明を実施するための最良の形態】
【０００７】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図２に、本発明の一実施形態として特許文献４記載の画像形成装置要部の構成ブロック図を示す。図示したように、メインスイッチ１、充電器２、および補助電源装置として電気二重層コンデンサ（キャパシタ、請求項記載の蓄電装置に相当）３を備え、商用電源（ＡＣ電源）がメインスイッチ１を介して充電器２および図示しないＤＣ電源生成用のＰＳＵ（Power Supply Unit）へ電力を供給し、その充電器２が電気二重層コンデンサ３を充電する。また、商用電源はメインスイッチ１を介さずにＡＣヒータ駆動回路（請求項記載の主発熱体駆動部に相当）４へも電力を供給する。メインスイッチ１は充電器２、ＡＣヒータ駆動回路４、ＰＳＵの共通経路上（商用電源が画像形成装置に入力されて分岐する前）に配置することも可能だが、そのように構成するとメインスイッチ１にＡＣヒータ電流も通電されることになり、定格電流の非常に大きいスイッチを用いなければならなくなってしまうので、ＡＣヒータ駆動回路４の電力供給経路から分離している。
定着部（請求項記載の加熱部に相当）６内に配置される図示しない定着ローラには、発熱部材であるＡＣヒータ（請求項記載の主発熱体に相当）１１およびキャパシタヒータ（請求項記載の補助発熱体に相当）１２を設ける。ＡＣヒータ１１は商用電源を電力源とし、ＡＣヒータ駆動回路４によりオン・オフ制御される。キャパシタヒータ１２は電気二重層コンデンサ３に充電された電力を電力源とし、キャパシタヒータ駆動回路（請求項記載の補助発熱体駆動部に相当）５によりオン・オフ制御される。電気二重層コンデンサ３は充電器２により充電される。充電器２には前記したようにメインスイッチ１を介して商用電源から電力が供給され、画像形成装置の制御部７からの図示しない制御信号により充電制御される。
【０００８】
定着ローラの近傍にはその定着ローラの表面温度を検出するための定着サーミスタ（請求項記載の温度検出手段に相当）１３を設けており、この定着サーミスタ１３の抵抗値が温度により変化することで制御部７は定着ローラの表面温度を検出する。この定着サーミスタ１３には負特性（温度が上がると抵抗値が低くなる）のものを用いる。
ＡＣヒータ駆動回路４は通常時のＡＣヒータのオン・オフ制御に用いるトライアック（請求項記載の主発熱体駆動手段に相当）２１、異常時にＡＣヒータ１１への電力供給を遮断するＡＣヒータリレー（請求項記載の主発熱体遮断手段に相当）２２、および商用電源の交流のゼロクロス点を検知するゼロクロス検知回路２３から構成される。トライアック２１とＡＣヒータリレー２２は何れも制御部７によりそのオン・オフを制御される。ゼロクロス検知回路２３の出力であるゼロクロス信号は制御部７へ入力され、ＡＣヒータリレー２２の位相制御などに用いられる。この位相制御は公知であるので詳細の説明は省略する。
キャパシタヒータ駆動回路５は通常時のキャパシタヒータのオン・オフ制御に用いるＦＥＴ（請求項記載の補助発熱体駆動手段に相当）３１、および異常時にキャパシタヒータ１２への電力供給を遮断するキャパシタヒータリレー（請求項記載の補助発熱体遮断手段）３２から構成される。ＦＥＴ３１とキャパシタヒータリレー３２は何れも制御部７によりそのオン・オフを制御される。
制御部７は画像形成装置全体の制御を行うＣＰＵ４１、定着高温異常時にＣＰＵ４１のＩ／Ｏポート出力によらずＡＣヒータ１１およびキャパシタヒータ１２を強制オフするための定着二重監視機構、およびＡＣヒータリレーＯＮ／ＯＦＦ信号とＡＣヒータＯＮ／ＯＦＦ信号をＡＣヒータ駆動回路４へ出力し、キャパシタヒータリレーＯＮ／ＯＦＦ信号およびキャパシタヒータＯＮ／ＯＦＦ信号をキャパシタヒータ駆動回路５へ出力するドライバ４２から構成される。ドライバ４２の出力はＬｏｗレベルがＯＮ信号、ＨｉｇｈレベルがＯＦＦ信号である。なお、定着二重監視機構はコンパレータ（請求項記載の温度過昇検出手段に相当）４３、第１のフリップフロップ（請求項記載のノイズ除去手段）４４、第２のフリップフロップ（請求項記載の温度過昇記憶手段）４５、およびゲート４６などから構成される。また、ドライバ４２およびゲート４６は請求項記載の主発熱体強制オフ手段や補助発熱体強制オフ手段を構成している。
【０００９】
前記コンパレータ４３は定着サーミスタ１３の出力を用いて定着部６が温度過昇となっているかどうかを判定する。図示したように、このコンパレータ４３の反転入力（−）にはＰＳＵで生成されたＶｃｃを２つの抵抗Ｒ１とＲ２で分圧して生成した基準電圧を入力し、コンパレータ４３の非反転入力（＋）にはＰＳＵで生成されたＶｃｃを抵抗Ｒ３と定着サーミスタ１３で分圧して生成した電圧を入力する。Ｒ１とＲ３の抵抗値を同じ値としておくことにより、定着サーミスタ１３の抵抗値がＲ２よりも大きいか小さいかでコンパレータの出力が決定される。定着サーミスタ１３の抵抗値がＲ２よりも大きいとき（温度が過昇でないとき）は非反転入力電圧の方が高くなるので、コンパレータ４３はＨｉｇｈレベルを出力し、定着サーミスタ１３の抵抗値がＲ２よりも小さいときは反転入力電圧の方が高くなるのでＬｏｗレベルを出力する。つまり、定着温度過昇検知温度はＲ２の値により決定される。例えば２００℃を定着温度過昇検知温度に設定する場合、２００℃時の定着サーミスタ抵抗値をＲ２の抵抗値とする。なお、抵抗Ｒ３と定着サーミスタ１３で分圧して生成した電圧はＣＰＵ４１のＡ／Ｄ変換入力にも接続され、ＣＰＵ４１による定着温度制御に用いられる。
コンパレータ出力はノイズ除去を目的とした第１のフリップフロップ４４のデータ入力（Ｄ）に接続される。このフリップフロップ４４のクロック入力には実施形態として図２に示した従来技術の場合、ゼロクロス信号が入力されており、ゼロクロス信号の立ち上がりエッジごとにデータ入力のレベルをラッチする。図３に示したようにゼロクロス信号は商用電源の半波ごとに発生するので、東日本のように商用電源が５０Ｈｚであればゼロクロス信号は１００Ｈｚ、西日本のように商用電源が６０Ｈｚであればゼロクロス信号は１２０Ｈｚになる。
【００１０】
前記したように、第１のフリップフロップ４４のデータ入力はゼロクロス信号の立ち上がりエッジごとにラッチする。言い換えればゼロクロス信号が立ち上がる僅かな時間を除けばデータ入力はラッチされないということであり、ゼロクロス信号がＨｉｇｈまたはＬｏｗ固定となっているタイミングで定着サーミスタ出力にノイズが重畳してもそのノイズを誤ラッチしてしまうことはない。また、ゼロクロス信号は１００Ｈｚというように比較的低速な信号であるので、データをラッチする間隔が比較的長くなり、ノイズ除去を達成するために好適なクロック入力である。
第１のフリップフロップ４４の出力（Ｑ）は温度過昇情報の記憶を目的とした第２のフリップフロップ４５のリセット入力（Ｒ、アクティブＬｏｗ）に接続されていて、前記コンパレータ出力は定着温度過昇非検知時にＨｉｇｈ、定着温度過昇検知時にＬｏｗとなり、ゼロクロス信号の立ち上がりエッジによって第１のフリップフロップ４４にラッチされるので、定着温度過昇検知時に第２のフリップフロップ４５のリセット入力がＬｏｗとなる。こうして、第２のフリップフロップ４５がリセットされると、その反転出力（−Ｑ）はＨｉｇｈとなる。定着温度過昇検知後に定着温度が下がった場合、コンパレータ出力がＨｉｇｈ、第１のフリップフロップ４４の出力がＨｉｇｈとなり、第２のフリップフロップ４５のリセット入力がＨｉｇｈとなるが、このようにリセット解除されても第２のフリップフロップ４５のクロック入力である過昇検知解除信号が出力されない限り反転出力はＨｉｇｈを保持し続ける。
第２のフリップフロップ４５の反転出力はゲート４６に接続される。ＣＰＵ４１が出力するＡＣヒータリレートリガ信号（請求項記載の主発熱体遮断手段制御信号に相当）およびキャパシタヒータリレートリガ信号をこの反転出力信号（第２のフリップフロップ４５の反転出力信号）でゲートする（遮断する）ことにより、温度過昇検知時にはＣＰＵ４１のＩ／Ｏポートの出力レベルによらず各々のリレーはオフとなる。
以下、本発明の各実施例を説明する。
【実施例１】
【００１１】
図１はこの実施例の画像形成装置要部を示す構成ブロック図である。
本発明は従来の定着二重監視回路が有していた、ゼロクロス信号なし時に定着二重監視回路の機能が無効化されてしまうという課題を解消するものであり、この実施例では、定着二重監視回路の機能が無効化されることがないように、ノイズ除去用フリップフロップのクロック入力に常時クロックが入力されるようにしている。具体的には、図１に示したように、図２に示した構成に加え、請求項記載のクロック発生手段としてカウンタ４７を制御部７内に備え、図２におけるゼロクロス信号の代わりに例えばカウンタ４７の最上位ビット出力を第１のフリップフロップ４４のクロック入力へ接続する。カウンタ４７は内部クロックを所定数計数するごとに最上位ビット出力のレベルが変化するので、５０Ｈｚ前後のクロック信号を出力可能なのである。
図２に示した従来例においてはゼロクロス信号を用いていたためにＡＣヒータリレー２２がオフになるとゼロクロス信号が発生しなくなり、定着二重監視回路が無効化されてしまっていた。この実施例では、所定周波数のクロックを発生するクロック発生手段としてカウンタ４７を用いたことにより定着二重監視回路が無効化されるタイミングをなくすることができる。また、カウンタ４７はウォッチドッグタイマに比較して安価である。
【実施例２】
【００１２】
この実施例では、実施例１に示したカウンタ４７の代わりに、繰り返し所定時間を計時し、その所定時間ごとにタイムアップ信号を発生するタイマを備え、そのタイムアップ信号を第１のフリップフロップ４４のクロック入力とする。タイマは内部にカウンタを備え、内部クロックを所定数計数したときにタイムアップ信号を出力するので、例えば１００Ｈｚに相当する周期でタイムアップ信号を出させることができる。
タイマはウォッチドッグタイマに比較して安価である。また、タイマはＣＰＵ４１に内蔵されていることも多いので、そのようなＣＰＵを用い、繰り返し所定時間を計時するようにそのタイマを設定する構成も可能である。そのような構成では全くコストアップなしにノイズ除去用のクロックを生成することができる。
なお、前記各実施例に示したクロック発生手段はＣＰＵ４１による停止を行わないで所定周波数のクロックを発生し続けるようにしている。ＣＰＵ４１によってクロック出力を停止できる構成にした場合、ソフト暴走時にクロック出力停止、つまり定着二重監視回路が無効化されてしまう可能性があるが、ＣＰＵ４１がクロック出力を停止できないようにすることにより、ソフトに依存しない信頼性の高い定着二重監視回路を構成することが可能となるからである。
【図面の簡単な説明】
【００１３】
【図１】本発明の第１の実施例を示す画像形成装置要部の構成ブロック図。
【図２】本発明の一実施形態として示した従来技術の画像形成装置要部の構成ブロック図。
【図３】本発明の一実施形態として示した従来技術の画像形成装置要部の説明図。
【図４】従来技術の一例を示す画像形成装置要部の説明図。
【図５】従来技術の一例を示す画像形成装置要部の他の説明図。
【図６】従来技術の一例を示す画像形成装置要部の他の説明図。
【符号の説明】
【００１４】
３  電気二重層コンデンサ、４  ＡＣヒータ駆動回路、５  キャパシタヒータ駆動回路、６  定着部、７  制御部、１１  ＡＣヒータ、１２  キャパシタヒータ、１３  定着サーミスタ、２１  トライアック、２２  ＡＣヒータリレー、２３  ゼロクロス検知回路、３２  キャパシタヒータリレー、４３  コンパレータ、４４  フリップフロップ、４５  フリップフロップ、４６  ゲート、４７  カウンタ
【図１】
2006139154.tif 000003
【図２】
2006139154.tif 000004
【図３】
2006139154.tif 000005
【図４】
2006139154.tif 000006
【図５】
2006139154.tif 000007
【図６】
2006139154.tif 000008